(57)【要約】【課題】セルヒューズで発生するアークから電極アセンブリおよびケースを保護する二次電池を提供する。【解決手段】本発明の一実施形態にかかる二次電池は、充電および放電作用をする電極アセンブリと、前記電極アセンブリを内蔵するケースと、前記ケースの開口に結合されるキャッププレートと、前記キャッププレートの端子ホールに設けられる電極端子と、前記電極アセンブリを前記電極端子に連結し、セルヒューズを備えるリードタブと、前記ケースの内面に支持され、前記リードタブに結合されるサイドリテーナとを含み、前記サイドリテーナは、前記セルヒューズおよび前記ケースの側壁に向かって開放される排出誘導部を含む。【選択図】図１
2015008115.tif 000002
【特許請求の範囲】
【請求項１】
充電および放電作用をする電極アセンブリと、
前記電極アセンブリを内蔵するケースと、
前記ケースの開口に結合されるキャッププレートと、
前記キャッププレートの端子ホールに設けられる電極端子と、
前記電極アセンブリを前記電極端子に連結し、セルヒューズを備えるリードタブと、
前記ケースの内面に支持され、前記リードタブに結合されるサイドリテーナと、を含み、
前記サイドリテーナは、
前記セルヒューズおよび前記ケースの側壁に向かって開放される排出誘導部を含むことを特徴とする二次電池。
【請求項２】
前記サイドリテーナは、
前記キャッププレートの反対側にいくにつれ、前記電極アセンブリに隣接するように傾斜した挿入誘導部をさらに含むことを特徴とする請求項１に記載の二次電池。
【請求項３】
前記リードタブは、
前記キャッププレートに平行な部分で前記電極端子に連結され、前記キャッププレートに交差する方向に折曲される第１連結部と、
前記第１連結部から分岐され、前記電極アセンブリの無地部の側面に面接触で溶接される複数の第２連結部と、を含むことを特徴とする請求項１または２に記載の二次電池。
【請求項４】
前記サイドリテーナは、
前記電極アセンブリの無地部の端面に向き合う方向で前記リードタブを覆う第１側面と、
前記第１側面の両側から突設され、前記リードタブに結合される第２側面および第３側面と、を含むことを特徴とする請求項２に記載の二次電池。
【請求項５】
前記挿入誘導部は、
前記電極アセンブリ側に傾斜して形成される前記第２側面および前記第３側面に前記第１側面を傾斜させて連結することを特徴とする請求項４に記載の二次電池。
【請求項６】
前記第２側面と前記第３側面は、
前記リードタブに側面を経由して前記リードタブの内面に係止される係止突起を備えることを特徴とする請求項５に記載の二次電池。
【請求項７】
前記第１側面は、
周囲の厚さよりも厚く形成される補強部を内面に備えることを特徴とする請求項４に記載の二次電池。
【請求項８】
前記排出誘導部は、
前記第１側面を貫通する第１開口と、
前記第１開口から前記第２側面と前記第３側面との間に突出して前記セルヒューズに向かう第２開口と、
前記第２開口を形成する垂直部と、
前記垂直部の下端を前記第１開口に連結する傾斜部と、を含むことを特徴とする請求項４に記載の二次電池。
【請求項９】
前記排出誘導部は、
前記セルヒューズに向かって前記第１側面に高さ方向に沿って上部排出誘導部および下部排出誘導部を含むことを特徴とする請求項８に記載の二次電池。
【請求項１０】
前記上部排出誘導部の垂直部は、前記下部排出誘導部の垂直部よりも長く形成されることを特徴とする請求項９に記載の二次電池。
【請求項１１】
前記上部排出誘導部の傾斜部は、前記下部排出誘導部の傾斜部よりも急に形成されることを特徴とする請求項１０に記載の二次電池。
【請求項１２】
前記垂直部は、
前記第１開口から前記電極アセンブリ側に後退して前記第１側面に並んで形成される第４側面と、
前記第４側面から前記第２側面および前記第３側面に対向して前記第２開口に連結される第５側面および第６側面と、を含むことを特徴とする請求項８に記載の二次電池。
【請求項１３】
前記第５側面と前記第６側面は、互いに並んでいて水平状態に形成される一対の切開ホールを有し、
一対の切開ホールの間の部分は、前記切開ホールの上側部分および下側部分より前記第２側面および前記第３側面にさらに突出することを特徴とする請求項１２に記載の二次電池。
【請求項１４】
前記一対の切開ホールの間の部分は、  前記切開ホールに並んでいて前記第２側面および前記第３側面にさらに突出する突起を含むことを特徴とする請求項１３に記載の二次電池。
【発明の詳細な説明】
【技術分野】
【０００１】
本発明は、セルヒューズで発生するアークから電極アセンブリおよびケースを保護する二次電池に関するものである。
【背景技術】
【０００２】
二次電池（ｒｅｃｈａｒｇｅａｂｌｅ  ｂａｔｔｅｒｙ）は、一次電池とは異なり、充電および放電を繰り返し行う電池である。小容量の二次電池は、携帯電話やノートパソコンおよびビデオカメラのように携帯が可能な小型電子機器に用いられ、大容量の二次電池は、ハイブリッド自動車および電気自動車のモータ駆動用電源として用いられる。
【０００３】
例えば、二次電池は、充電および放電作用をする電極アセンブリと、電極アセンブリおよび電解液を収容するケースと、ケースの開口に結合されるキャッププレートと、電極アセンブリを電極端子に電気的に連結するリードタブとを含む。
【０００４】
二次電池において、リードタブは、電極アセンブリに連結される部分と電極端子に連結される部分との間にセルヒューズを形成している。例えば、ヒューズは、外部短絡のような高電圧条件で溶融（メルティング）して電流を断続する。
【０００５】
セルヒューズが作動（溶融）する時、発生するアークは、電極アセンブリの内部に浸透して電極アセンブリを損傷させたり、電極アセンブリの側方に飛んだり下方に落ちてケースの側壁および底を損傷させることがある。
【発明の概要】
【発明が解決しようとする課題】
【０００６】
本発明は、上記問題点を解決するためになされたものであって、本発明の目的は、セルヒューズで発生するアークから電極アセンブリおよびケースを保護する二次電池を提供することにある。
【課題を解決するための手段】
【０００７】
本発明の一実施形態にかかる二次電池は、充電および放電作用をする電極アセンブリと、前記電極アセンブリを内蔵するケースと、前記ケースの開口に結合されるキャッププレートと、前記キャッププレートの端子ホールに設けられる電極端子と、前記電極アセンブリを前記電極端子に連結し、セルヒューズを備えるリードタブと、前記ケースの内面に支持され、前記リードタブに結合されるサイドリテーナと、を含み、前記サイドリテーナは、前記セルヒューズおよび前記ケースの側壁に向かって開放される排出誘導部を含む。
【０００８】
前記サイドリテーナは、前記キャッププレートの反対側にいくにつれ、前記電極アセンブリに隣接するように傾斜した挿入誘導部をさらに含むことができる。
【０００９】
前記リードタブは、前記キャッププレートに平行な部分で前記電極端子に連結され、前記キャッププレートに交差する方向に折曲される第１連結部と、前記第１連結部から分岐され、前記電極アセンブリの無地部の側面に面接触で溶接される複数の第２連結部と、を含むことができる。
【００１０】
前記サイドリテーナは、前記電極アセンブリの無地部の端面に向き合う方向で前記リードタブを覆う第１側面と、前記第１側面の両側から突設され、前記リードタブに結合される第２側面および第３側面と、を含むことができる。
【００１１】
前記挿入誘導部は、前記電極アセンブリ側に傾斜して形成される前記第２側面および前記第３側面に前記第１側面を傾斜させて連結することができる。
【００１２】
前記第２側面と前記第３側面は、前記リードタブに側面を経由して前記リードタブの内面に係止される係止突起を備えることができる。
【００１３】
前記第１側面は、周囲の厚さよりも厚く形成される補強部を内面に備えることができる。
【００１４】
前記排出誘導部は、前記第１側面を貫通する第１開口と、前記第１開口から前記第２側面と前記第３側面との間に突出して前記セルヒューズに向かう第２開口と、前記第２開口を形成する垂直部と、前記垂直部の下端を前記第１開口に連結する傾斜部と、を含むことができる。
【００１５】
前記排出誘導部は、前記セルヒューズに向かって前記第１側面に高さ方向に沿って上部排出誘導部および下部排出誘導部を含むことができる。
【００１６】
前記上部排出誘導部の垂直部は、前記下部排出誘導部の垂直部よりも長く形成できる。
【００１７】
前記上部排出誘導部の傾斜部は、前記下部排出誘導部の傾斜部よりも急に形成できる。
【００１８】
前記垂直部は、前記第１開口から前記電極アセンブリ側に後退して前記第１側面に並んで形成される第４側面と、前記第４側面から前記第２側面および前記第３側面に対向して前記第２開口に連結される第５側面および第６側面と、を含むことができる。
【００１９】
前記第５側面と前記第６側面は、互いに並んでいて水平状態に形成される一対の切開ホールを有し、一対の切開ホールの間の部分は、前記切開ホールの上側部分および下側部分より前記第２側面および前記第３側面にさらに突出することができる。
【００２０】
前記一対の切開ホールの間の部分は、前記切開ホールに並んでいて前記第２側面および前記第３側面にさらに突出する突起を含むことができる。
【発明の効果】
【００２１】
本発明によれば、サイドリテーナに排出誘導部を備え、排出誘導部をセルヒューズおよびケースの側壁に向かうように開放するため、セルヒューズで発生するアークを排出誘導部に積もらせたり、サイドリテーナとケースとの間に誘導する効果がある。したがって、セルヒューズの作動（溶融）時、発生するアークから電極アセンブリおよびケースを保護する効果がある。
【図面の簡単な説明】
【００２２】
【図１】本発明の一実施形態にかかる二次電池の斜視図である。
【図２】図１のＩＩ−ＩＩ線断面図である。
【図３】図２のリードタブおよびサイドリテーナの分解斜視図である。
【図４】図３のＩＶ−ＩＶ線断面図である。
【図５】図４のＶ−Ｖ線断面図である。
【発明を実施するための形態】
【００２３】
以下、添付した図面を参照して、本発明の実施形態について、本発明の属する技術分野における通常の知識を有する者が容易に実施できるように詳細に説明する。しかし、本発明は、種々の異なる形態で実現可能であり、ここで説明する実施形態に限定されない。図面において、本発明を明確に説明するために説明上不必要な部分を省略し、明細書全体にわたって同一または類似の構成要素については同一の参照符号を付した。
【００２４】
図１は、本発明の一実施形態にかかる二次電池の斜視図であり、図２は、図１のＩＩ−ＩＩ線断面図である。
【００２５】
図１および図２を参照すれば、一実施形態にかかる二次電池は、電流を充電および放電する電極アセンブリ１０と、電極アセンブリ１０および電解液を内蔵するケース１５と、ケース１５の開口に結合されるキャッププレート２０と、キャッププレート２０の端子ホールＨ１、Ｈ２に設けられる電極端子２１、２２と、電極端子２１、２２を電極アセンブリ１０に連結するリードタブ５１、５２とを含む。また、二次電池は、ケース１５の内面に支持され、リードタブ５１、５２に結合されるサイドリテーナ５３、５４をさらに含む。
【００２６】
例えば、電極アセンブリ１０は、絶縁体であるセパレータ１３の両面に電極（例えば、負極１１と正極１２）を配置し、負極１１、セパレータ１３、および正極１２をゼリーロール状に巻き取って形成される。
【００２７】
負正極１１、１２はそれぞれ、金属板の集電体に活物質を塗布したコーティング部１１ａ、１２ａと、活物質を塗布せずに露出した集電体で形成される無地部１１ｂ、１２ｂとを含む。
【００２８】
負極１１の無地部１１ｂは、巻き取られる負極１１に沿って負極１１の一方端部に形成される。正極１２の無地部１２ｂは、巻き取られる正極１２に沿って正極１２の一方端部に形成される。そして、無地部１１ｂ、１２ｂは、電極アセンブリ１０の両端にそれぞれ配置される。
【００２９】
ケース１５は、電極アセンブリ１０を内部に収容する空間を設定するように、略直方体からなる。ケース１５の開口は、直方体の一側に形成され、外部から内部空間に電極アセンブリ１０を挿入できるようにする。
【００３０】
キャッププレート２０は、ケース１５の開口に設けられ、ケース１５を密閉する。例えば、ケース１５とキャッププレート２０は、アルミニウムで形成され、互いに溶接されるとよい。つまり、電極アセンブリ１０をケース１５に挿入した後、キャッププレート２０はケース１５の開口に溶接できる。
【００３１】
また、キャッププレート２０は、１つ以上の開口を有し、例えば、端子ホールＨ１、Ｈ２およびベントホール２４を備える。電極端子２１、２２は、キャッププレート２０の端子ホールＨ１、Ｈ２にそれぞれ設けられ、電極アセンブリ１０に電気的に連結される。
【００３２】
つまり、電極端子２１、２２は、電極アセンブリ１０の負極１１および正極１２にそれぞれ電気的に連結される。したがって、電極アセンブリ１０は、電極端子２１、２２を介してケース１５の外部に引き出される。
【００３３】
電極端子２１、２２は、端子ホールＨ１、Ｈ２に対応してキャッププレート２０の外側に配置されるプレートターミナル２１ｃ、２２ｃと、電極アセンブリ１０に電気的に連結され、端子ホールＨ１、Ｈ２を貫通してプレートターミナル２１ｃ、２２ｃに締結されるリベットターミナル２１ａ、２２ａとを含む。
【００３４】
プレートターミナル２１ｃ、２２ｃは、貫通ホールＨ３、Ｈ４を有する。リベットターミナル２１ａ、２２ａは、上端に端子ホールＨ１、Ｈ２を貫通して貫通ホールＨ３、Ｈ４に挿入される。電極端子２１、２２は、キャッププレート２０の内側でリベットターミナル２１ａ、２２ａに一体に広く形成されるフランジ２１ｂ、２２ｂをさらに含む。
【００３５】
負極１１に連結される電極端子２１側において、プレートターミナル２１ｃとキャッププレート２０との間に介在する外部絶縁部材３１は、プレートターミナル２１ｃとキャッププレート２０とを電気的に絶縁させる。つまり、キャッププレート２０は、電極アセンブリ１０および負極１１と絶縁された状態を維持する。
【００３６】
絶縁部材３１とプレートターミナル２１ｃをリベットターミナル２１ａの上端に結合して上端をリベッティングまたは溶接することによって、絶縁部材３１とプレートターミナル２１ｃはリベットターミナル２１ａの上端に締結される。プレートターミナル２１ｃは、絶縁部材３１を介在させた状態でキャッププレート２０の外側に設けられる。
【００３７】
正極１２に連結される電極端子２２側において、プレートターミナル２２ｃとキャッププレート２０との間に介在する導電性トッププレート４６は、プレートターミナル２２ｃとキャッププレート２０とを電気的に連結させる。つまり、キャッププレート２０は、電極アセンブリ１０および正極１２に電気的に連結された状態を維持する。
【００３８】
トッププレート４６とプレートターミナル２２ｃをリベットターミナル２２ａの上端に結合して上端をリベッティングまたは溶接することによって、トッププレート４６とプレートターミナル２２ｃはリベットターミナル２２ａの上端に締結される。プレートターミナル２２ｃは、トッププレート４６を介在させた状態でキャッププレート２０の外側に設けられる。
【００３９】
ガスケット３６、３７は、電極端子２１、２２のリベットターミナル２１ａ、２２ａとキャッププレート２０の端子ホールＨ１、Ｈ２の内面との間にそれぞれ設けられ、リベットターミナル２１ａ、２２ａとキャッププレート２０との間をシーリングし、電気的に絶縁する。
【００４０】
ガスケット３６、３７は、フランジ２１ｂ、２２ｂとキャッププレート２０の内面との間にさらに延設され、フランジ２１ｂ、２２ｂとキャッププレート２０との間をさらにシーリングし、電気的に絶縁する。つまり、ガスケット３６、３７は、キャッププレート２０に電極端子２１、２２を設けることによって、端子ホールＨ１、Ｈ２を介して電解液が漏れる（ｌｅａｋ）のを防止する。
【００４１】
リードタブ５１、５２は、電極端子２１、２２を電極アセンブリ１０の負正極１１、１２にそれぞれ電気的に連結する。つまり、リードタブ５１、５２をリベットターミナル２１ａ、２２ａの下端に結合して下端をコーキング（ｃａｕｌｋｉｎｇ）することによって、リードタブ５１、５２は、フランジ２１ｂ、２２ｂに支持されながら、リベットターミナル２１ａ、２２ａの下端に連結される。
【００４２】
リードタブ５１、５２は、電極端子２１、２２と電極アセンブリ１０との間で電流を遮断するセルヒューズ７１、７２をさらに備える。つまり、セルヒューズ７１、７２は、外部短絡のような高電圧条件で作動（溶融）して電流を断続することができる。
【００４３】
図示のように、セルヒューズ７１、７２は、電極アセンブリ１０の負極１１側および正極１２側に形成できる。また、図示していないが、セルヒューズは、負極側または正極側に選択的に形成されてもよい。
【００４４】
絶縁部材６１、６２は、リードタブ５１、５２とキャッププレート２０との間にそれぞれ設けられ、リードタブ５１、５２とキャッププレート２０とを電気的に絶縁させる。また、絶縁部材６１、６２は、一側でキャッププレート２０に結合され、他の一側でリードタブ５１、５２とリベットターミナル２１ａ、２２ａおよびフランジ２１ｂ、２２ｂを囲むため、これらの連結構造を安定させる。
【００４５】
ベントホール２４は、二次電池の内部圧力および発生したガスを排出できるように、ベントプレート２５で密閉される。二次電池の内部圧力が設定圧力に達すると、ベントプレート２５が切開されてベントホール２４を開放する。ベントプレート２５は、切開を誘導する切欠２５ａを有する。
【００４６】
一方、サイドリテーナ５３、５４は、リードタブ５１、５２に結合され、電極アセンブリ１０とケース１５との間に介在して、電極アセンブリ１０をケース１５から離隔させる。したがって、サイドリテーナ５３、５４は、ケース１５を介して伝達される外部衝撃から電極アセンブリ１０を保護することができる。例えば、サイドリテーナ５３、５４は、高い耐熱性を有する合成樹脂材で形成されるとよい。
【００４７】
サイドリテーナ５３、５４は、セルヒューズ７１、７２およびケース１５の側壁に向かって開放される排出誘導部５３７、５４７を含む。排出誘導部５３７、５４７は、セルヒューズ７１、７２が作動（溶融）する時、発生するアークを積もらせたり、サイドリテーナ５３、５４とケース１５との間に誘導できるように形成される。
【００４８】
つまり、アークは、少量の場合、排出誘導部５３７、５４７に積もらせることができ、大量の場合、排出誘導部５３７、５４７によって排出できる。したがって、アークは、電極アセンブリ１０の内部に浸透せず、ケース１５の側壁および底に直接落ちない。
【００４９】
サイドリテーナ５３、５４は、キャッププレート２０の反対側に伸びながら、電極アセンブリ１０に隣接するように傾斜した挿入誘導部６０を含む。挿入誘導部６０は、狭くなった側部を介してケース１５の開口との間に間隔を形成して、ケース１５の開口に電極アセンブリ１０の挿入を容易に誘導することができる。
【００５０】
また、サイドリテーナ５３、５４は、電極アセンブリ１０の外郭でケース１５の開口に接触するため、リードタブ５１、５２および電極アセンブリ１０の端部分がケース１５の開口に接触するのを防止する。つまり、ケース１５の開口による電極アセンブリ１０の損傷が防止される。
【００５１】
第１実施形態において、リードタブ５１、５２が互いに同一構造に形成され、サイドリテーナ５３、５４が互いに同一構造に形成されるため、便宜上、以下、電極アセンブリ１０の負極１１に連結されるリードタブ５１と、リードタブ５１に結合されるサイドリテーナ５３を例として説明する。
【００５２】
図３は、図２のリードタブおよびサイドリテーナの分解斜視図であり、図４は、図３のＩＶ−ＩＶ線断面図であり、図５は、図４のＶ−Ｖ線断面図である。
【００５３】
図３ないし図５を参照すれば、リードタブ５１は、キャッププレート２０に平行な部分で電極端子２１に連結され、キャッププレート２０に交差する方向に折曲される第１連結部５１１と、第１連結部５１１から分岐され、電極アセンブリ１０の無地部１１ｂの側面に面接触で溶接される１つまたは複数の第２連結部５１２とを含む。
【００５４】
第１連結部５１１は、平行な部分に貫通口７３、７４を備え、リベットターミナル２１ａの下端とフランジ２１ｂの下側突起２１ｄに結合される。セルヒューズ７１は、第１連結部５１１で周囲より狭い面積に形成されて、周囲より高い電気抵抗を有する。
【００５５】
サイドリテーナ５３は、電極アセンブリ１０の無地部１１ｂの端面に向き合う方向（ｘ軸方向）でリードタブ５１の側面を覆う第１側面５３１と、第１側面５３１の両側から突設され、リードタブ５１の端面を経由して内面に結合される第２側面５３２および第３側面５３３とを含む。
【００５６】
つまり、サイドリテーナ５３は、リードタブ５１に向かって凹状に形成され、リードタブ５１を収容する。第１側面５３１は、リードタブ５１の第１連結部５１１における広い面積の側面と、第２連結部５１２における狭い面積の端面とを覆う。そして、第２および第３側面５３２、５３３は、リードタブ５１の第１連結部５１１における狭い面積の端面と、第２連結部５１２における広い面積の側面とを覆う。
【００５７】
挿入誘導部６０は、電極アセンブリ１０側に傾斜して形成される第２側面５３２および第３側面５３３に、第１側面５３１を傾斜させて連結して形成される。つまり、図３および図４において、第１側面５３１は、上部から下端部にいくにつれ、電極アセンブリ１０側に次第に隣接する。
【００５８】
したがって、ケース１５に電極アセンブリ１０を挿入する時、挿入誘導部６０によってサイドリテーナ５３とケース１５の開口との間に間隔が設定される。間隔は、ケース１５の開口に電極アセンブリ１０の挿入を容易にする。
【００５９】
また、挿入誘導部６０に囲まれたリードタブ５１および電極アセンブリ１０は、ケース１５の開口と接触しない。したがって、組立時、電極アセンブリ１０の損傷が防止可能になる。
【００６０】
第２および第３側面５３２、５３３は、互いに向き合う内面に係止突起５３４、５３５を備える。係止突起５３４、５３５は、リードタブ５１の第１連結部５１１の端面を経由して内面に係止することによって、サイドリテーナ５３を第１連結部５１１に固定させる。この時、第２および第３側面５３２、５３３は、第１連結部５１１の端面を覆い、同時に第２連結部５１２の側面を覆う。
【００６１】
第１側面５３１は、内面に周囲の厚さよりも厚く形成される補強部５３６を備える。第１側面５３１が第１連結部５１１の側面と第２連結部５１２の端面とを覆う時、補強部５３６は第２連結部５１２の間に挿入され、係止部５３４、５３５は第１連結部５１１の内面に密着する。つまり、リードタブ５１とサイドリテーナ５３は、強固な結合状態を維持することができる。
【００６２】
排出誘導部５３７は、第１側面５３１を貫通する第１開口５５１と、第１開口５５１から第２側面５３２と第３側面５３３との間に突出してセルヒューズ７１に向かう第２開口５５２と、第２開口５５２を形成する垂直部５５３と、垂直部５５３の下端を第１開口５５１に連結する傾斜部５５４とを含む。
【００６３】
例えば、排出誘導部５３７は、セルヒューズ７１に向かって第１側面５３１に高さ方向に沿って上部排出誘導部３７１および下部排出誘導部３７２を含む。セルヒューズ７１の溶融時、セルヒューズ７１から落ちるアーク残骸の大部分は、上部排出誘導部３７１の第２開口５５２を通過して垂直部５５３の内側に流入して傾斜部５５４に積もったり、傾斜部５５４から排出できる。
【００６４】
上部排出誘導部３７１の垂直部５５３は、下部排出誘導部３７２の垂直部５５３よりも長く形成される。したがって、セルヒューズ７１から落ちるアークは、大きい空間の上部排出誘導部３７１の傾斜部５５４に十分に収容できる。
【００６５】
上部排出誘導部３７１の傾斜部５５４は、下部排出誘導部３７２の傾斜部５５４よりも急に形成される。上部排出誘導部３７１に積もったアークは冷却され、サイドリテーナ５３とケース１５との間に排出できる。
【００６６】
したがって、アーク残骸は、上部排出誘導部３７１で遮断され、電極アセンブリ１０に浸透しない。上部排出誘導部３７１に積もった後、過剰のアーク残骸は、傾斜部５５４を介してサイドリテーナ５３とケース１５の内壁との間に排出されるが、冷却された状態であるため、ケース１５の内壁および底を損傷させない。
【００６７】
一方、アーク残骸によって上部排出誘導部３７１の傾斜部５５４が溶けて開く場合、アーク残骸は下部排出誘導部３７２に積もるようになる。したがって、上部排出誘導部３７１を通過した高温のアーク残骸によってケース１５の内壁および底が損傷しない。したがって、下部排出誘導部３７２は、上部排出誘導部３７１の空間よりも小さい空間に形成できる。
【００６８】
一方、垂直部５５３は、第１開口５５１から電極アセンブリ１０側に後退して第１側面５３１に並んで形成される第４側面３５４と、第４側面３５４から第２側面５３２および第３側面５３３に対向して第２開口５５２に連結される第５側面３５５および第６側面３５６とを含む。第４、第５、第６側面３５４、３５５、３５６および傾斜部５５４は、第１および第２開口５５１、５５２の間で垂直部５５３の空間を設定する。
【００６９】
第５および第６側面３５５、３５６は、互いに並んでいて水平状態に形成される一対の切開ホール５５７、５５８を有し、一対の切開ホール５５７、５５８の間の部分６０１は、切開ホール５５７、５５８の上側部分および下側部分より第２および第３側面５３２、５３３側にさらに突出する。その間の部分６０１は、第５および第６側面３５５、３５６に弾性的に連結され、第２連結部５１２の内面に向き合う。
【００７０】
一対の切開ホール５５７、５５８の間の部分６０１は、切開ホール５５７、５５８に並んでいて第２および第３側面５３２、５３３にさらに突出する突起６０２を備える。第５および第６側面３５５、３５６において、実質的に、突起６０２が第２側面５３２および第３側面５３３の内側で第２連結部５１２の各内面を支持する。
【００７１】
突起６０２は、その間の部分６０１から突出して、第１側面５３１の内側から第２側面５３２および第３側面５３３側に突出して、第２連結部５１２の互いに向き合う内面を線接触で支持する。その間の部分６０１は、切開ホール５５７、５５８の上下側部に独立して弾性的に圧縮され、第２連結部５１２を支持する。したがって、その間の部分６０１は、第５および第６側面３５５、３５６と第２連結部５１２との間で間隔を吸収することができる。突起６０２は１つで形成されているが、複数で形成されてもよい。
【００７２】
この時、一側の第２連結部５１２と第２側面５３２との間および他の第２連結部５１２と第３側面５３３との間に無地部１１ｂがそれぞれ位置する。無地部１１ｂは、第２連結部５１２に電気的に連結されている。
【００７３】
以上、本発明の好ましい実施形態について説明したが、本発明は、これに限定されるものではなく、特許請求の範囲と発明の詳細な説明および添付した図面の範囲内で多様に変形して実施することが可能であり、これも本発明の範囲に属することは当然である。
【符号の説明】
【００７４】
１０：電極アセンブリ
１１：負極
１１ａ、１２ａ：コーティング部
１１ｂ、１２ｂ：無地部
１２：正極
１３：セパレータ
１５：ケース
２０：キャッププレート
２１、２２：電極端子
２１ａ、２２ａ：リベットターミナル
２１ｂ、２２ｂ：フランジ
２１ｃ、２２ｃ：プレートターミナル
２１ｄ、６０２：突起
２４：ベントホール
２５：ベントプレート
２５ａ：切欠
３１、６１、６２：絶縁部材
３６、３７：ガスケット
４６：トッププレート
５１、５２：リードタブ
５３、５４：サイドリテーナ
６０：挿入誘導部
７１、７２：セルヒューズ
７３、７４：貫通口
３５４、３５５、３５６：第４、第５、第６側面
３７１、３７２：上部、下部排出誘導部
５１１、５１２：第１、第２連結部
５３１、５３２、５３３：第１、第２、第３側面
５３４、５３５：係止突起
５３６：補強部
５３７、５４７：排出誘導部
５５１、５５２：第１、第２開口
５５３：垂直部
５５４：傾斜部
５５７、５５８：切開ホール
Ｈ１、Ｈ２：端子ホール
【図１】
2015008115.tif 000003
【図２】
2015008115.tif 000004
【図３】
2015008115.tif 000005
【図４】
2015008115.tif 000006
【図５】
2015008115.tif 000007